(57)【要約】【課題】接続先の無線子機の識別情報を事前に調べることなく容易に認識することができる無線機器等を提供すること。【解決手段】無線子機２００と無線接続するために予め設定された固有識別情報を保持する固有識別情報保持部１３１と、固有識別情報保持部１３１に保持された固有識別情報を取得し、固有識別情報に所望の文字列である特定用識別子を付加した付加後識別情報を含むビーコン信号を生成するビーコン信号生成部１５０と、ビーコン信号生成部１５０により生成されたビーコン信号を無線子機２００に送信する送信部１６１と、を有する無線機器１００。【選択図】      図１
2015179885.tif 000002
【特許請求の範囲】
【請求項１】
受信機と無線接続するために予め設定された固有識別情報を保持する固有識別情報保持部と、
前記固有識別情報保持部に保持された前記固有識別情報を取得し、前記固有識別情報に特定用識別子を付加した付加後識別情報を含むビーコン信号を生成するビーコン信号生成部と、
前記ビーコン信号生成部により生成された前記ビーコン信号を前記受信機に送信する送信部と、を有する無線機器。
【請求項２】
前記固有識別情報は、所定の文字列から成る識別情報を含む請求項１に記載の無線機器。
【請求項３】
前記特定用識別子は、所望の文字列を含む請求項１又は２に記載の無線機器。
【請求項４】
前記ビーコン信号生成部を起動する起動部を有し、
前記ビーコン信号生成部は、前記起動部により前記ビーコン信号生成部が起動されたとき、前記固有識別情報を取得し、前記付加後識別情報を含む前記ビーコン信号を生成する請求項１から３のいずれか１項に記載の無線機器。
【請求項５】
前記ビーコン信号生成部は、前記固有識別情報における前記所定の文字列の前後又は前記所定の文字列中の任意箇所に前記特定用識別子を付加した付加後識別情報を含む前記ビーコン信号を生成する請求項２に記載の無線機器。
【請求項６】
前記特定用識別子を任意に設定可能な設定部を有し、
前記ビーコン信号生成部は、前記特定用識別子が前記設定部により設定されたとき、前記固有識別情報を取得し、前記固有識別情報に前記設定部により設定された特定用識別子を付加した付加後識別情報を含む前記ビーコン信号を生成する請求項１から５のいずれか１項に記載の無線機器。
【請求項７】
前記ビーコン信号の生成は、前記特定用識別子が新たに前記設定部により設定されたときである請求項６に記載の無線機器。
【請求項８】
前記ビーコン信号生成部は、前記固有識別情報のみのビーコン信号と、前記付加後識別情報を含むビーコン信号とをそれぞれ生成する請求項１から７のいずれか１項に記載の無線機器。
【請求項９】
受信機と無線接続するために予め設定された固有識別情報を取得する固有識別情報取得ステップと、
前記固有識別情報取得ステップにより取得した前記固有識別情報に特定用識別子を付加した付加後識別情報を含むビーコン信号を生成するビーコン信号生成ステップと、
前記ビーコン信号生成ステップにより生成された前記ビーコン信号を前記受信機に送信するビーコン信号送信ステップと、を含む無線通信方法。
【請求項１０】
無線機器に予め設定された固有識別情報に特定用識別子を付加した付加後識別情報を含むビーコン信号を、前記無線機器から受信し、受信した前記付加後識別情報を含むビーコン信号に対応する表示情報を表示する受信機。
【発明の詳細な説明】
【技術分野】
【０００１】
本発明は、無線機器等に関し、例えば、無線子機と無線接続する無線機器等に関する。
【背景技術】
【０００２】
近年、無線ＬＡＮ（Local Area Network）アクセスポイント等の無線ＬＡＮ親機機能を有する通信機器（背景技術の欄では、無線機器とよぶ）と、無線ＬＡＮクライアントと呼ばれるゲーム機やパーソナルコンピュータやスマートフォン等の無線ＬＡＮ子機機能を有する通信機器（背景技術の欄では、無線子機とよぶ）とを無線ＬＡＮ接続する技術が広く知られている。
【０００３】
無線機器と無線子機とを無線ＬＡＮ接続するためには、ＳＳＩＤ（Service set Identifier）や暗号化キー等の各種識別情報を個別に無線子機にユーザが設定する必要があった。そのため、ユーザにとっては、無線機器と無線子機とを無線ＬＡＮ接続する設定を行うことが困難であった。
【０００４】
上述したような設定を低減する技術として、ＷＰＳ−ＰＢＣ（Wi-Fi Protected Setup - Push Button Configuration）といった技術が知られている。このＷＰＳ−ＰＢＣでは、ユーザが予め接続先となる無線機器のＳＳＩＤを調べておき、無線子機に表示されるＳＳＩＤ一覧の中から調べたＳＳＩＤを探し出し選択する。
【０００５】
これにより、無線子機は選択した無線機器に接続要求を行う。そして、無線子機の接続要求に対して、ユーザが無線機器のボタンを押下することにより、無線機器と無線子機との無線ＬＡＮ接続設定を完了させる。
【０００６】
なお、無線機器に関連して、例えば、特許文献１では、有線ネットワークのドメインやＩＰｖ４（Internet Protocol version 4）等の特徴情報を有線ネットワーク上の機器から取得し、取得した特徴情報を用いて生成したビーコン信号をＷＬＡＮ（Wireless Local Area Network）端末に送信することにより、ＷＬＡＮ端末と無線ＬＡＮ接続するアクセスポイントの技術が開示されている。
【先行技術文献】
【特許文献】
【０００７】
【特許文献１】特開２００７−９６４６４号公報
【発明の概要】
【発明が解決しようとする課題】
【０００８】
しかしながら、上述したＷＰＳ−ＰＢＣの技術を用いたとしても、ユーザは、予め接続先となる無線機器のＳＳＩＤを調べておき、無線子機に表示されるＳＳＩＤ一覧の中から調べたＳＳＩＤを探しだす必要がある。
【０００９】
よって、公衆無線ＬＡＮサービス等の普及に伴って、無線子機においてＳＳＩＤが多数表示されるような状況では、ユーザが接続先となる無線機器のＳＳＩＤを認識して探し出すことが困難であった。
【００１０】
また、上述した特許文献１で例示した無線機器の技術であっても、ユーザは、予め有線ネットワークのドメインやＩＰｖ４アドレス等の特徴情報を調べておく必要がある。
【００１１】
本発明は、このような事情を鑑みてなされたものであり、その目的は、事前に調べることなく容易に識別情報を認識することができる無線機器等を提供することにある。
【課題を解決するための手段】
【００１２】
本発明の無線機器は、受信機と無線接続するために予め設定された固有識別情報を保持する固有識別情報保持部と、前記固有識別情報保持部に保持された前記固有識別情報を取得し、前記固有識別情報に特定用識別子を付加した付加後識別情報を含むビーコン信号を生成するビーコン信号生成部と、前記ビーコン信号生成部により生成された前記ビーコン信号を前記受信機に送信する送信部と、を有する。
【００１３】
また、本発明の無線通信方法は、受信機と無線接続するために予め設定された固有識別情報を取得する固有識別情報取得ステップと、前記固有識別情報取得ステップにより取得した前記固有識別情報に特定用識別子を付加した付加後識別情報を含むビーコン信号を生成するビーコン信号生成ステップと、前記ビーコン信号生成ステップにより生成された前記ビーコン信号を前記受信機に送信するビーコン信号送信ステップと、を含む。
【００１４】
また、本発明の受信機は、無線機器に予め設定された固有識別情報に特定用識別子を付加した付加後識別情報を含むビーコン信号を、前記無線機器から受信し、受信した前記付加後識別情報を含むビーコン信号に対応する表示情報を表示する。
【発明の効果】
【００１５】
本発明にかかる無線機器等によれば、事前に調べることなく容易に識別情報を認識することができる。
【図面の簡単な説明】
【００１６】
【図１】本発明の第１の実施の形態における無線機器及び無線子機の構成を示すブロック図である。
【図２】本発明の第１の実施の形態における無線機器及び無線子機の構成を説明するための概略図である。
【図３】本発明の第１の実施の形態における無線機器のビーコン信号生成部が生成する付加後識別情報を含むビーコン信号の生成例を示す図である。
【図４】本発明の第１の実施の形態における無線機器が無線子機と無線接続する動作フローを示す図である。
【図５】本発明の第２の実施の形態における無線機器及び無線子機の構成を示すブロック図である。
【図６】本発明の第２の実施の形態における無線機器が無線子機と無線接続する動作フローを示す図である。
【発明を実施するための形態】
【００１７】
＜第１の実施の形態＞
図１及び図２を用いて、本発明の第１の実施の形態における無線機器１００と、無線機器１００と無線接続（例えば、無線ＬＡＮ接続）する無線子機２００の構成を説明する。図１は、無線機器１００及び無線子機２００の構成を示すブロック図である。図２は、無線機器１００及び無線子機２００の構成を説明するための概略図である。
【００１８】
まず、無線機器１００の構成について詳細に説明する。
【００１９】
無線機器１００は、有線回線によりネットワーク３００に接続されている。なお、無線機器１００は、無線回線によりネットワーク３００に接続されてもよい。
【００２０】
また、無線機器１００は、例えば、ＩＥＥＥ８０２．１１に準拠する通信機器であり、一般家庭やオフィスビル等の建屋内に設置される無線アクセスポイント等の通信機器である。なお。無線機器１００は、建屋外に設置される無線アクセスポイント等であってもよい。
【００２１】
図１に示されるように、無線機器１００は、起動部１１０と、入力部１２０と、記憶部１３０と、無線機器側制御部１４０と、ビーコン信号生成部１５０と、無線機器側通信部１６０とを有して構成されている。
【００２２】
図１に示されるように、起動部１１０は、無線機器側制御部１４０に接続されている。起動部１１０は、ビーコン信号生成部１５０を起動する。起動部１１０は、無線機器１００に実装されている例えばスイッチ等であり、ユーザによって操作される。
【００２３】
なお、例えば、無線機器１００の電源（不図示）がＯＮになったとき、ビーコン信号生成部１５０が起動する設定とした場合、起動部１１０は、必ずしも本発明に必要ではない。
【００２４】
図１に示されるように、入力部１２０は、無線機器側制御部１４０に接続されている。入力部１２０は、無線機器１００に実装されている例えば表示部を備える入力キー等であり、ユーザによって操作される。ユーザが入力部１２０を操作することにより、後述する特定用識別子が入力される。入力された特定用識別子は、後述する特定用識別子保持部１３２により保持される。
【００２５】
図１に示されるように、記憶部１３０は、無線機器側制御部１４０に接続されている。記憶部１３０は、無線子機２００と無線接続するための各種情報を記憶している。記憶部１３０は、固有識別情報保持部１３１と特定用識別子保持部１３２とを含んで構成されている。
【００２６】
固有識別情報保持部１３１は、無線子機２００と無線接続するために予め設定された固有識別情報を保持する。図２に示されるように、ここでは、固有識別情報は、所定の文字列（ＡＡＡ）から成る識別情報（ＳＳＩＤ（Service set Identifier）（図中ＳＳＩＤ−１＝ＡＡＡ））である例を示している。
【００２７】
しかしながら、固有識別情報は、無線機器１００を識別できる情報であればよく、例えば、バーコード等、いずれの情報形式であってもよい。
【００２８】
特定用識別子保持部１３２は、特定用識別子を保持する。ここでは、特定用識別子は、所望の文字列である例を示している。特定用識別子の所望の文字列には、英数字、記号、漢字、仮名等を用いることができる。図２に示されるように、ここでは、所望の文字列が「Ｃｏｎｎｅｃｔ−」である例を示している。
【００２９】
しかしながら、特定用識別子は、無線機器１００の固有識別情報を特定できる情報であればよく、所望の文字列に限定されない。
【００３０】
図１に示されるように、無線機器側制御部１４０は、起動部１１０と入力部１２０と記憶部１３０とビーコン信号生成部１５０と無線機器側通信部１６０とにそれぞれ接続されている。無線機器側制御部１４０は、無線機器１００の全体を制御する。
【００３１】
無線機器側制御部１４０は、入力部１２０の入力結果を受け、これを記憶部１３０の特定用識別子保持部１３２に出力する。また、無線機器側制御部１４０は、起動部１１０がユーザにより操作されたことを検知し、この検知結果をビーコン信号生成部１５０に通知する。
【００３２】
そして、無線機器側制御部１４０は、固有識別情報保持部１３１及び特定用識別子保持部１３２に保持された固有識別情報及び特定用識別子を、ビーコン信号生成部１５０に出力する。
【００３３】
また、無線機器側制御部１４０は、ビーコン信号生成部１５０により生成されたビーコン信号を受け、これを無線機器側通信部１６０に出力する。
【００３４】
図１に示されるように、ビーコン信号生成部１５０は、無線機器側制御部１４０に接続されている。ビーコン信号生成部１５０は、起動部１１０によって起動されたとき、固有識別情報保持部１３１及び特定用識別子保持部１３２に保持された固有識別情報及び特定用識別子を取得する。
【００３５】
なお、前述したように、ビーコン信号生成部１５０は、例えば、無線機器１００の電源がＯＮになったときに起動し、固有識別情報保持部１３１及び特定用識別子保持部１３２に保持された固有識別情報及び特定用識別子を取得してもよい。
【００３６】
そして、ビーコン信号生成部１５０は、固有識別情報における所定の文字列（ＡＡＡ）の前後又は所定の文字列（ＡＡＡ）中の任意箇所に特定用識別子（Ｃｏｎｎｅｃｔ−）を付加した付加後識別情報を含むビーコン信号（例えば、（Ｃｏｎｎｅｃｔ−ＡＡＡ））を生成する。
【００３７】
なお、固有識別情報における所定の文字列（ＡＡＡ）に特定用識別子（Ｃｏｎｎｅｃｔ−）を付加する箇所については、ユーザが入力部１２０を操作することにより任意に設定できる。
【００３８】
ここでいうビーコン信号とは、例えば、ＩＥＥＥ８０２．１１に規格されるビーコン信号（ビーコンフレーム）である。但し、ビーコン信号は、ＩＥＥＥ８０２．１１に規格されるビーコン信号に限定されない。
【００３９】
図２に示されるように、ビーコン信号生成部１５０は、例えば、固有識別情報における所定の文字列（ＡＡＡ）の前に特定用識別子（Ｃｏｎｎｅｃｔ−）を付加した付加後識別情報（図中ＳＳＩＤ−２＝Ｃｏｎｎｅｃｔ−ＡＡＡ）を含むビーコン信号を生成する。
【００４０】
しかしながら、ビーコン信号生成部１５０は、固有識別情報における所定の文字列（ＡＡＡ）の後に特定用識別子（Ｃｏｎｎｅｃｔ−）を付加した付加後識別情報（ＡＡＡＣｏｎｎｅｃｔ−）を含むビーコン信号を生成してもよい。
【００４１】
また、ビーコン信号生成部１５０は、固有識別情報における所定の文字列（ＡＡＡ）中に特定用識別子（Ｃｏｎｎｅｃｔ−）を付加した付加後識別情報（例えば、ＡＣｏｎｎｅｃｔ−ＡＡ）を含むビーコン信号を生成してもよい。
【００４２】
なお、ビーコン信号生成部１５０は、前述した付加後識別情報を含むビーコン信号に加えて、固有識別情報を含むビーコン信号も生成する。この固有識別情報を含むビーコン信号は、後述する無線機器側通信部１６０の無線機器側送信部１６１から、無線子機２００に所定の周期（例えば、１００ミリ秒）で送信される。
【００４３】
ここで、図３を用いて、前述した付加後識別情報を含むビーコン信号と、固有識別情報を含むビーコン信号の生成例について説明する。図３は、無線機器１００のビーコン信号生成部１５０が生成する付加後識別情報を含むビーコン信号の生成例を示す図である。
【００４４】
まず、付加後識別情報を含むビーコン信号の生成例について説明する。
【００４５】
図３に示されるように、付加後識別情報を含むビーコン信号には、ＳＳＩＤを示すＳＳＩＤ ｐａｒａｍｅｔｅｒに付加後識別情報（Ｃｏｎｎｅｃｔ−ＡＡＡ）が設定されている。また、付加後識別情報を含むビーコン信号には、無線伝送速度を示すＳｕｐｐｏｒｔｅｄ Ｒａｔｅｓに所定の数値から成る設定値（ｘｘｘ）が設定され、無線チャネル番号を示すＤＳ Ｐａｒａｍｅｔｅｒ ｓｅｔに所定の数値からなる設定値（ｙｙｙ）が設定されている。
【００４６】
なお、付加後識別情報を含むビーコン信号には、他にもＩＥＥＥ８０２．１１に規格される種々のパラメータが設定されている。
【００４７】
次に、固有識別情報を含むビーコン信号の生成例について説明する。
【００４８】
図３に示されるように、固有識別情報を含むビーコン信号には、ＳＳＩＤ ｐａｒａｍｅｔｅｒに固有識別情報（ＡＡＡ）が設定されている。その他のパラメータについては、上述した付加後識別情報を含むビーコン信号と同様のため説明を省略する。
【００４９】
図１に戻って、無線機器側通信部１６０は、無線機器側制御部１４０に接続されている。無線機器側通信部１６０は、例えば、ＩＥＥＥ８０２．１１に準拠する通信部である。無線機器側通信部１６０は、無線機器側送信部１６１と無線機器側受信部１６２を有して構成されている。
【００５０】
無線機器側送信部１６１は、ビーコン信号生成部１５０により生成された付加後識別情報を含むビーコン信号を無線子機２００に送信する。無線機器側送信部１６１は、本発明の送信部に相当する。
【００５１】
なお、無線機器側送信部１６１が付加後識別情報を含むビーコン信号を無線子機２００に送信する時間（例えば、１０秒間）は、ユーザが入力部１２０を操作することで任意に設定可能としてもよい。
【００５２】
また、前述したように、無線機器側送信部１６１は、付加後識別情報を含むビーコン信号に加えて、ビーコン信号生成部１５０により生成された固有識別情報を含むビーコン信号を、所定の周期で無線子機２００に送信する。
【００５３】
また、無線機器側送信部１６１は、無線機器１００が無線子機２００と無線接続するための各種信号を無線子機２００に送信する。例えば、無線機器側送信部１６１は、無線子機２００から送信される無線接続の要求信号に対して、無線接続の応答信号を無線子機２００に送信する。これにより、無線機器１００と無線子機２００は、相互に無線接続する。
【００５４】
無線機器側受信部１６２は、無線機器１００が無線子機２００と無線接続するための各種信号（例えば、要求信号）を無線子機２００から受信する。
【００５５】
次に、無線子機２００の構成について詳細に説明する。
【００５６】
無線子機２００は、例えば、ＩＥＥＥ８０２．１１に準拠する通信機器である。ここでは、無線子機２００は、例えば、ゲーム機やパーソナルコンピュータやスマートフォン等の無線ＬＡＮ子機機能を有する通信機器である例を示している。この場合、無線子機２００は、無線ＬＡＮクライアントともよばれる。無線子機２００は、本発明の受信機に相当する。
【００５７】
なお、無線子機２００は、無線ＬＡＮ子機機能を有する通信機器に限らず、無線機器１００と通信可能な受信機であればよい。
【００５８】
図１に示されるように、無線子機２００は、無線子機側通信部２１０と、無線子機側制御部２２０と、表示部２３０とを有して構成されている。
【００５９】
図１に示されるように、無線子機側通信部２１０は、無線子機側制御部２２０と表示部２３０とにそれぞれ接続されている。無線子機通信部２１０は、例えば、ＩＥＥＥ８０２．１１に準拠した通信部である。無線子機側通信部２１０は、無線子機側受信部２１１と無線子機側送信部２１２とを有して構成されている。
【００６０】
無線子機側受信部２１１は、無線機器側送信部１６１から送信される付加後識別情報を含むビーコン信号を受信する。また、無線子機側受信部２１１は、付加後識別情報を含むビーコン信号に加えて、無線機器側送信部１６１から送信される固有識別情報を含むビーコン信号も受信する。
【００６１】
なお、無線機器側受信部２１１は、無線子機２００が無線機器１００と無線接続するための各種信号（例えば、無線接続の応答信号）を無線機器１００から受信する。
【００６２】
無線子機側送信部２１２は、無線子機側受信部２１１により受信した付加後識別情報及び固有識別情報に基づいて、無線子機２００が無線機器１００と無線接続するための各種信号（例えば、無線接続の要求信号）を無線機器１００に送信する。
【００６３】
図１に示されるように、無線機器側制御部２２０は、無線子機側通信部２１０と表示部２３０とにそれぞれ接続されている。無線子機側制御部２２０は、無線子機２００の全体を制御する。
【００６４】
無線子機側制御部２２０は、無線子機側受信部２１１により受信した付加後識別情報を含むビーコン信号及び固有識別情報を含むビーコン信号から、付加後識別情報及び固有識別情報を抽出する。そして、無線子機側制御部２２０は、抽出した付加後識別情報及び固有識別情報を表示部２３０に出力する。
【００６５】
図１に示されるように、表示部２３０は、無線子機側制御部２２０に接続されている。表示部２３０は、無線機器１００から受信した付加後識別情報を含むビーコン信号に対応する表示情報を表示する。表示情報には、例えば、付加後識別情報（Ｃｏｎｎｅｃｔ−ＡＡＡ）が挙げられる。
【００６６】
ここでは、図２に示されるように、表示部２３０は、無線子機側制御部２２０により抽出された付加後識別情報（Ｃｏｎｎｅｃｔ−ＡＡＡ）及び固有識別情報（ＡＡＡ）を識別情報一覧として表示する。
【００６７】
識別情報一覧とは、無線子機２００が受信したビーコン信号に含まれる固有識別情報を一覧表示したものである。
【００６８】
図２に示されるように、この識別情報一覧には、例えば、無線機器１００以外の別の無線機器（不図示）から送信されるビーコン信号に含まれる固有識別情報（ＢＢＢ）も表示される。別の無線機器は、無線機器１００と異なり、識別情報に特定用識別子を付加する機能を有さないものである。
【００６９】
そして、ユーザが、識別情報一覧から無線接続の接続先である無線機器１００の固有識別情報（ＡＡＡ）を選択部（不図示）を用いて選択することにより、無線機器１００は、無線子機２００と相互に無線ＬＡＮ接続する。
【００７０】
次に、図４を用いて、無線機器１００が無線子機２００と無線接続する動作を説明する。図４は、本発明の第１の実施の形態における無線機器１００が無線子機２００と無線接続する動作フローを示す図である。
【００７１】
なお、ここでは、無線機器１００に特定用識別子を新たに設定する場合を想定する。また、前述したように、無線機器１００は、固有識別情報（ＡＡＡ）を含むビーコン信号を所定の周期で無線子機２００に送信しているものとする。
【００７２】
また、ここでは、無線機器１００及び無線子機２００が、ＷＰＳ−ＰＢＣ（Wi-Fi Protected Setup - Push Button Configuration）に対応している場合を想定する。
【００７３】
まず、図４に示されるように、ユーザは、入力部１２０を操作し、特定用識別子（Ｃｏｎｎｅｃｔ−）を入力する（ステップ（以下、Ｓとする）１１０）。
【００７４】
特定用識別子保持部１３２は、ユーザによって入力された特定用識別子（Ｃｏｎｎｅｃｔ−）を保持する（Ｓ１２０）。
【００７５】
次に、ユーザは、起動部１１０を操作し、ビーコン信号生成部１５０を起動する（Ｓ１３０）。なお、前述のように、ビーコン信号生成部１５０は、必ずしも起動部１１０によって起動されなくてもよい。
【００７６】
ユーザが起動部１１０を操作しビーコン信号生成部１５０を起動させると、ビーコン信号生成部１５０は、固有識別情報保持部１３１から固有識別情報（ＡＡＡ）を取得し、特定用識別子保持部１３２から特定用識別子（Ｃｏｎｎｅｃｔ−）を取得する（Ｓ１４０）。
【００７７】
そして、ビーコン信号生成部１５０は、固有識別情報における所定の文字列（ＡＡＡ）の前後又は所定の文字列（ＡＡＡ）中の任意箇所に特定用識別子（Ｃｏｎｎｅｃｔ−）を付加した付加後識別情報を含むビーコン信号を生成する（Ｓ１５０）。
【００７８】
なお、前述のように、ここでは、ビーコン信号生成部１５０は、固有識別情報における所定の文字列（ＡＡＡ）の前に特定用識別子（Ｃｏｎｎｅｃｔ−）を付加した付加後識別情報（Ｃｏｎｎｅｃｔ−ＡＡＡ）を含むビーコン信号を生成する。
【００７９】
次に、無線機器側送信部１６１は、付加後識別情報（Ｃｏｎｎｅｃｔ−ＡＡＡ）を含むビーコン信号を送信する（Ｓ１６０）。なお、前述したように、無線機器側送信部１６１は、付加後識別情報（Ｃｏｎｎｅｃｔ−ＡＡＡ）を含むビーコン信号とは別に、固有識別情報（ＡＡＡ）を含むビーコン信号も送信している。
【００８０】
そして、無線子機２００の無線子機側受信部２１１は、付加後識別情報（Ｃｏｎｎｅｃｔ−ＡＡＡ）を含むビーコン信号を受信する（Ｓ１７０）。なお、無線子機側受信部２１１は、付加後識別情報（Ｃｏｎｎｅｃｔ−ＡＡＡ）を含むビーコン信号とは別に、固有識別情報（ＡＡＡ）を含むビーコン信号も受信している。
【００８１】
次に、表示部２３０は、付加後識別情報（Ｃｏｎｎｅｃｔ−ＡＡＡ）を含むビーコン信号から、付加後識別情報（Ｃｏｎｎｅｃｔ−ＡＡＡ）を識別情報一覧として表示する（Ｓ１８０）。
【００８２】
なお、表示部２３０は、付加後識別情報（Ｃｏｎｎｅｃｔ−ＡＡＡ）とは別に、固有識別情報（ＡＡＡ）を含むビーコン信号から、固有識別情報（ＡＡＡ）も識別情報一覧として表示している。
【００８３】
そして、ユーザは、Ｓ１１０において入力した特定用識別子（Ｃｏｎｎｅｃｔ−）を頼りに、付加後識別情報（Ｃｏｎｎｅｃｔ−ＡＡＡ）を識別情報一覧から探し出し確認する（Ｓ１９０）。ユーザは、この付加後識別情報（Ｃｏｎｎｅｃｔ−ＡＡＡ）から、固有識別情報（ＡＡＡ）を判断することができる。
【００８４】
そして、ユーザは、接続先となる無線機器１００の固有識別情報（ＡＡＡ）を識別情報一覧から探し出し、選択部を用いて選択する（Ｓ２００）。
【００８５】
こうすることで、無線子機２００は、無線機器１００とＷＰＳ接続を開始する（Ｓ２１０）。
【００８６】
最後に、ユーザは、無線機器１００に実装されているＷＰＳ用ボタン（不図示）を押下する（Ｓ２２０）。
【００８７】
これにより、無線機器１００と無線子機２００とが無線接続を確立する（Ｓ２３０）。
【００８８】
なお、ここでは、無線機器１００に特定用識別子を新たに設定する場合を想定した。しかしながら、無線機器１００に特定用識別子が既に入力され設定されている場合、Ｓ１１０及びＳ１２０の処理を省略することができる。
【００８９】
また、ここでは、無線機器１００及び無線子機２００がＷＰＳ−ＰＢＣに対応している場合を想定した。しかしながら、無線機器１００及び無線子機２００がＷＰＳ−ＰＢＣに対応していない場合、Ｓ２１０〜Ｓ２３０において、以下のような処理を行うことで、無線機器１００と無線子機２００とが相互に無線接続してもよい。
【００９０】
すなわち、Ｓ２１０において、無線子機２００の無線子機側送信部２１２が、無線接続の要求信号を無線機器１００に送信する。
【００９１】
そして、Ｓ２２０において、無線機器１００の無線機器側受信部１６２が、要求信号を受信する。また、無線機器１００の無線機器側送信部１６１が、無線接続の応答信号を無線子機２００に送信する。
【００９２】
最後に、Ｓ２３０において、無線子機２００の無線子機側受信部２１１が、応答信号を受信することにより、無線機器１００と無線接続を確立する。
【００９３】
以上に説明したように、本発明の第１の実施の形態における無線機器１００は、固有識別情報保持部１３１と、ビーコン信号生成部１５０と、無線機器側送信部１６１を有する。
【００９４】
固有識別情報保持部１３１は、無線子機２００と無線接続するために予め設定された固有識別情報（ＡＡＡ）を保持する。
【００９５】
ビーコン信号生成部１５０は、固有識別情報保持部１３１に保持された固有識別情報（ＡＡＡ）を取得し、固有識別情報（ＡＡＡ）に特定用識別子（Ｃｏｎｎｅｃｔ−）を付加した付加後識別情報（Ｃｏｎｎｅｃｔ−ＡＡＡ）を含むビーコン信号を生成する。
【００９６】
無線機器側送信部１６１は、ビーコン信号生成部１５０と、ビーコン信号生成部１５０により生成されたビーコン信号を無線子機２００に送信する。
【００９７】
このように、無線機器１００は、付加後識別情報（Ｃｏｎｎｅｃｔ−ＡＡＡ）を含むビーコン信号を送信する。そのため、無線子機２００を操作するユーザは、特定用識別子（Ｃｏｎｎｅｃｔ−）を頼りに、接続先となる無線機器１００の固有識別情報（ＡＡＡ）を知ることできる。
【００９８】
そして、ユーザが無線機器１００の固有識別情報（ＡＡＡ）を識別情報一覧から選択することにより、無線機器１００と無線子機２００とが無線接続を確立する。
【００９９】
従って、ユーザは、事前に調べることなく容易に無線機器１００の識別情報（ここでは、固有識別）を認識することができる。その結果、無線機器１００は、無線接続におけるユーザの手間を低減することができる。
【０１００】
また、無線機器１００は、ＩＥＥＥ８０２．１１に準拠したビーコン信号に基づいて、付加後識別情報（Ｃｏｎｎｅｃｔ−ＡＡＡ）を含むビーコン信号を生成することができる。そのため、無線子機２００として、ＩＥＥＥ８０２．１１に準拠したビーコン信号を受信可能な任意の無線子機を用いることができる。
【０１０１】
また、本発明の第１の実施の形態における無線機器１００において、固有識別情報は、所定の文字列（ＡＡＡ）から成る識別情報を含む。従って、受信機において固有識別情報が表示された場合、ユーザはより容易に固有識別情報を認識することができる。
【０１０２】
また、本発明の第１の実施の形態における無線機器１００において、特定用識別子は、所望の文字列（Ｃｏｎｎｅｃｔ−）を含む。従って、受信機において所望の文字列（Ｃｏｎｎｅｃｔ−）を含む特定用識別子を付加した付加後識別情報が表示された場合、ユーザはより容易に付加後識別情報を認識することができる。その結果、ユーザはより容易に固有識別情報を認識することができる。
【０１０３】
また、本発明の第１の実施の形態における無線機器１００は、起動部１１０を有する。起動部１１０は、ビーコン信号生成部１５０を起動する。ビーコン信号生成部１５０は、起動部１１０によりビーコン信号生成部１５０が起動されたとき、固有識別情報（ＡＡＡ）を取得し、付加後識別情報（Ｃｏｎｎｅｃｔ−ＡＡＡ）を含むビーコン信号を生成する。
【０１０４】
これにより、ユーザは、任意のタイミングでビーコン信号生成部１５０を起動することができる。その結果、無線機器１００は、本来意図しないユーザが無線機器１００の固有識別情報（ＡＡＡ）を認識する可能性を低減することができる。
【０１０５】
また、本発明の第１の実施の形態における無線機器１００において、ビーコン信号生成部１５０は、固有識別情報（ＡＡＡ）における所定の文字列（ＡＡＡ）の前後又は所定の文字列（ＡＡＡ）中の任意箇所に特定用識別子（Ｃｏｎｎｅｃｔ−）を付加した付加後識別情報を含むビーコン信号を生成する。
【０１０６】
これにより、ユーザは、固有識別情報における所定の文字列（ＡＡＡ）に特定用識別子（Ｃｏｎｎｅｃｔ−）を付加する箇所を任意に設定できる。この結果、ユーザは、より容易に無線機器１００の識別情報を認識することができるので、無線機器１００は、無線接続におけるユーザの手間をより低減することができる。
【０１０７】
また、本発明の第１の実施の形態における無線通信方法は、固有識別情報取得ステップと、ビーコン信号生成ステップと、ビーコン信号送信ステップとを含む。
【０１０８】
固有識別情報取得ステップは、無線子機２００と無線接続するために予め設定された固有識別情報（ＡＡＡ）を取得する。
【０１０９】
ビーコン信号生成ステップは、固有識別情報取得ステップにより取得した固有識別情報（ＡＡＡ）に特定用識別子（Ｃｏｎｎｅｃｔ−）を付加した付加後識別情報（Ｃｏｎｎｅｃｔ−ＡＡＡ）を含むビーコン信号を生成する。
【０１１０】
ビーコン信号送信ステップは、ビーコン信号生成ステップにより生成されたビーコン信号を無線子機２００に送信する。
【０１１１】
この無線通信方法は、上述した無線機器１００の装置の発明を方法の発明としたものであるから、上述した無線機器１００と同様の作用効果を奏する。
【０１１２】
また、本発明の第１の実施の形態における無線子機２００は、無線機器１００に予め設定された固有識別情報（ＡＡＡ）に特定用識別子（Ｃｏｎｎｅｃｔ−）を付加した付加後識別情報（Ｃｏｎｎｅｃｔ−ＡＡＡ）を含むビーコン信号を、無線機器１００から受信し、受信した付加後識別情報を含むビーコン信号に対応する表示情報を表示する。
【０１１３】
これにより、ユーザは、無線子機２００に表示される表示情報をもとに、付加後識別情報（Ｃｏｎｎｅｃｔ−ＡＡＡ）を認識することができる。この結果、ユーザは、より容易に固有識別情報を認識することができる。
【０１１４】
＜第２の実施の形態＞
図５を用いて、本発明の第２の実施の形態における無線機器１００Ａの詳細な構成を説明する。図５は、無線機器１００Ａ及び無線子機２００の構成を示すブロック図である。なお、図５では、図１〜４で示した各構成要素と同等の構成要素には、図１〜４で示した符号と同等の符号を付している。
【０１１５】
図５に示されるように、無線機器１００Ａは、起動部１１０と、入力部１２０Ａと、記憶部１３０と、無線機器側制御部１４０と、ビーコン信号生成部１５０Ａと、無線機器側通信部１６０とを有して構成されている。入力部１２０Ａは、設定部１２１を含んで構成されている。
【０１１６】
ここで、図１と図５を対比する。図５では、入力部１２０Ａは、設定部１２１を更に備えた点で、図１に示される入力部１２０と互いに相違する。以下の説明では、図１で示した構成と同等の構成については説明を省略する。
【０１１７】
設定部１２１は、特定用識別子を任意に設定可能である。設定部１２１は、例えば、既に設定されている特定用識別子（Ｃｏｎｎｅｃｔ−）を、新たな特定用識別子（例えば、Ｙｏｕｒ−ＡＰ−ＩＳ−）に設定することができる。新たな特定用識別子の文字列は、ユーザが入力部１２０を操作することにより設定部１２１に入力することができるものとする。
【０１１８】
なお、設定部１２１により新たに設定された特定用識別子は、特定用識別子保持部１３２に保持される。
【０１１９】
ビーコン信号生成部１５０Ａは、特定用識別子が設定部１２１により設定されたとき、固有識別情報を取得し、設定部１２１により設定された特定用識別子を固有識別情報に付加した付加後識別情報を含むビーコン信号を生成する。
【０１２０】
ここでは、ビーコン信号の生成は、特定用識別子が新たに設定部１２１により設定されたときである例を示している。しかしながら、ビーコン信号の生成は、特定用識別子が新たに設定部１２１により設定されたときに限定されない。
【０１２１】
次に、図６を用いて、無線機器１００Ａが無線子機２００と無線接続する動作について説明する。図６は、本発明の第２の実施の形態における無線機器１００Ａが無線子機２００と無線接続する動作フローを示す図である。
【０１２２】
なお、ここでは、無線機器１００Ａの特定用識別子保持部１３２には既に特定用識別子（Ｃｏｎｎｅｃｔ−）が保持されている例を示す。そして、ここでは、設定部１２１が、新たな特定用識別子として特定用識別子（Ｙｏｕｒ−ＡＰ−ＩＳ−）を設定する例を示す。また、固有識別情報保持部１３１には、固有識別情報（ＡＡＡ）が保持されているものとする。
【０１２３】
まず、ユーザが入力部１２０Ａを操作し新たな特定用識別子の文字列（Ｙｏｕｒ−ＡＰ−ＩＳ−）を設定部１２１に入力する。そして、設定部１２１が、特定用識別子（Ｙｏｕｒ−ＡＰ−ＩＳ−）を新たに設定する（Ｓ３１０）。
【０１２４】
なお、前述したように、このとき、設定部１２１により新たに設定された特定用識別子（Ｙｏｕｒ−ＡＰ−ＩＳ−）は、特定用識別子保持部１３２に保持される。
【０１２５】
次に、特定用識別子（Ｙｏｕｒ−ＡＰ−ＩＳ−）が設定部１２１により新たに設定されると、ビーコン信号生成部１５０Ａは、固有識別情報保持部１３１から固有識別情報（ＡＡＡ）を取得し、特定用識別子保持部１３２から新たに設定された特定用識別子（Ｙｏｕｒ−ＡＰ−ＩＳ−）を取得する（Ｓ３２０）。
【０１２６】
そして、ビーコン信号生成部１５０Ａは、固有識別情報（ＡＡＡ）に設定部１２１により設定された特定用識別子（Ｙｏｕｒ−ＡＰ−ＩＳ−）を付加した付加後識別情報（Ｙｏｕｒ−ＡＰ−ＩＳ−ＡＡＡ）を含むビーコン信号を生成する（Ｓ３３０）。
【０１２７】
なお、前述した第１の実施の形態における無線機器１００と同様に、ビーコン信号生成部１５０Ａは、固有識別情報（ＡＡＡ）における所定の文字列（ＡＡＡ）の前後又は所定の文字列（ＡＡＡ）中の任意箇所に、新たに設定された特定用識別子（Ｙｏｕｒ−ＡＰ−ＩＳ−）を付加する。
【０１２８】
その後、無線機器１００Ａは、図４のＳ１６０以降の処理を行う。
【０１２９】
以上に説明したように、本発明の第２の実施の形態における無線機器１００Ａは、特定用識別子を任意に設定可能な設定部１２１を有する。ビーコン信号生成部１５０Ａは、特定用識別子が設定部１２１により設定されたとき、固有識別情報を取得し、設定部１２１により設定された特定用識別子を固有識別情報に付加した付加後識別情報を含むビーコン信号を生成する。
【０１３０】
このように、ユーザが特定用識別子を設定したとき、付加後識別情報を含むビーコン信号が生成され無線子機２００に送信される。従って、特定用識別子を設定した後、ユーザは、無線機器１００Ａを操作することなく、設定された特定用識別子を頼りに、接続先である無線機器１００Ａの固有識別情報を知ることができる。
【０１３１】
その結果、無線機器１００Ａは、無線接続におけるユーザの手間をより低減することができる。
【０１３２】
以上、実施の形態を基に本発明を説明した。実施の形態は例示であり、本発明の主旨から逸脱しない限り、上述の実施の形態に対して、様々な変更、増減、組合せを加えてもよい。
【符号の説明】
【０１３３】
１００、１００Ａ    無線機器
１１０    起動部
１２０、１２０Ａ    入力部
１２１    設定部
１３０    記憶部
１３１    固有識別情報保持部
１３２    特定用識別子保持部
１４０    無線機器側制御部
１５０、１５０Ａ    ビーコン信号生成部
１６０    無線機器側通信部
１６１    無線機器側送信部
１６２    無線機器側受信部
２００    無線子機
２１０    無線子機側通信部
２１１    無線子機側受信部
２１２    無線子機側送信部
２２０    無線子機側制御部
２３０    表示部
３００    ネットワーク
【図１】
2015179885.tif 000003
【図２】
2015179885.tif 000004
【図３】
2015179885.tif 000005
【図４】
2015179885.tif 000006
【図５】
2015179885.tif 000007
【図６】
2015179885.tif 000008